(57)【要約】      （修正有）【課題】複数種類の設備のためのスペースを確保しつつ搬送や保管に適している水洗トイレユニット、及び水洗トイレシステムを提供する。【解決手段】水洗トイレユニット１Ｗにはコンテナ式が採用され、コンテナ内は仕切り壁５によって個室７〜１１に仕切られている。個室のそれぞれには大便器１３が設けられている。これらの個室のうち個室７及び１１のそれぞれには手洗い器１４も設けられ、多目的トイレ用の個室となっている。【選択図】図３
0003209017.tif 000002
【実用新案登録請求の範囲】
【請求項１】
コンテナ式の水洗トイレユニットであって、
コンテナの内部空間を規定する外壁と、
複数の個室が形成されるように前記内部空間を仕切る仕切り壁と、
前記複数の個室のそれぞれに設置された便器を含む水洗トイレ用の複数の便器と、
複数の手洗い器とを備えており、
前記複数の個室の少なくとも１つが、前記便器及び前記手洗い器の両方が内部に設置された多目的トイレ用の個室であることを特徴とする水洗トイレユニット。
【請求項２】
前記複数の便器の少なくともいずれかが男性用の小便器であることを特徴とする請求項１に記載の水洗トイレユニット。
【請求項３】
前記外壁が、２枚の金属板とその間に挟まれた断熱層とを含んでいることを特徴とする請求項１又は２に記載の水洗トイレユニット。
【請求項４】
水洗トイレ用の給水部及び排水部が前記外壁に設けられた請求項１〜３のいずれか１項に記載の水洗トイレユニットと、
前記給水部を通じて前記水洗トイレユニットに給水する給水手段とを備えており、
前記水洗トイレユニットから前記排水部を通じて排出される排水を下水管へと導く配管を設けることにより下水設備と接続可能であることを特徴とする水洗トイレシステム。
【請求項５】
前記排水部と汚水タンクとを接続可能であることを特徴とする請求項４に記載の水洗トイレシステム。
【考案の詳細な説明】
【技術分野】
【０００１】
本考案は、水洗トイレユニット及び水洗トイレシステムに関する。
【背景技術】
【０００２】
従来、搬送や保管の便を考慮し、特許文献１のように便器を１つだけ備えたコンパクトな仮設トイレがある。
【先行技術文献】
【特許文献】
【０００３】
【特許文献１】特開２０１６−１２５２４７号公報
【考案の概要】
【考案が解決しようとする課題】
【０００４】
一方、特許文献１のような仮設トイレは設備を配置するスペースが限られており、手洗い器等の複数種類の設備を配置するのが困難である。しかしながら、設備のスペースを広く取ると全体が大型化し、搬送や保管に適さなくなるおそれがある。
【０００５】
本考案の目的は、複数種類の設備のためのスペースを確保しつつ搬送や保管に適した水洗トイレユニット及び水洗トイレシステムを提供することにある。
【課題を解決するための手段】
【０００６】
本考案の水洗トイレユニットは、コンテナ式の水洗トイレユニットであって、コンテナの内部空間を規定する外壁と、複数の個室が形成されるように前記内部空間を仕切る仕切り壁と、前記複数の個室のそれぞれに設置された便器を含む水洗トイレ用の複数の便器と、複数の手洗い器とを備えており、前記複数の個室の少なくとも１つが、前記便器及び前記手洗い器の両方が内部に設置された多目的トイレ用の個室である。
【０００７】
本考案の水洗トイレユニットによると、コンテナ式を採用しているため、トレーラー等の車両や船舶による搬送に適しており、積み重ねて保管することもできる。また、複数種類の設備を内部に配置するための十分な大きさがある（例えば、２０フィート型コンテナの寸法は、長さ約６ｍ、幅約２．４ｍ、高さ約２．６ｍである）。そして、かかるスペースを活かして複数の手洗い器や水洗用の便器が設けられており、複数の個室に仕切られているとともに、そのうちの１つは便器と手洗い器との両方を備えた多目的トイレ用の個室となっている。このため、可搬式のトイレ設備でありながら常設のトイレ設備のように設備が整っており、利便性が高い。
【０００８】
また、本考案においては、前記複数の便器の少なくともいずれかが男性用の小便器であることが好ましい。これによると、男性用のトイレ設備として利用できる。
【０００９】
また、本考案においては、前記外壁が、２枚の金属板とその間に挟まれた断熱層とを含んでいることが好ましい。これによると、コンテナ内の保温性を向上できる。
【００１０】
また、本考案の水洗トイレシステムは、水洗トイレ用の給水部及び排水部が前記外壁に設けられた請求項１〜３のいずれか１項に記載の水洗トイレユニットと、前記給水部を通じて前記水洗トイレユニットに給水する給水手段とを備えており、前記水洗トイレユニットから前記排水部を通じて排出される排水を下水管へと導く配管を設けることにより下水設備と接続可能であることが好ましい。これによると、下水設備を利用することができる。
【００１１】
また、本考案においては、前記排水部と汚水タンクとを接続可能であることが好ましい。これによると、下水設備と汚水タンクとの両方に対応したシステムとなる。
【図面の簡単な説明】
【００１２】
【図１】本考案の一実施形態に係るコンテナ式の水洗トイレユニットを接続したトレーラーの斜視図である。
【図２】外壁の厚み方向に沿った断面図である。
【図３】女性用の設備を用いた場合における図１の水洗トイレユニットの一部水平方向に沿った断面を含む平面図である。
【図４】男性用の設備を用いた場合における図１の水洗トイレユニットの一部水平方向に沿った断面を含む平面図である。
【考案を実施するための形態】
【００１３】
以下、本考案の一実施形態に係る水洗トイレユニット１について図１〜図４を参照しつつ説明する。水洗トイレユニット１は、図１に示すようにトレーラー２に接続可能なコンテナ式のユニットである。以下における前後左右の各方向は、トレーラー２に接続した図１の状態におけるトレーラー２の前進方向を基準とする。
【００１４】
水洗トイレユニット１は、外壁３によって構成された直方体の概略形状を有している。外壁３には複数の窓４が設けられている。外壁３は、図２に示すように２枚の薄い鋼板３１とこれらの間に挟まれた発泡ポリウレタン製の断熱材３２によって構成されている。外壁３は、水洗トイレユニット１内における直方体の内部空間を規定している。この内部空間内には、図３又は図４に示すように、トイレ設備を構成する各種の設備が配置されている。まず、図３に基づき、女性用の設備が用いられた水洗トイレユニット１（以下、水洗トイレユニット１Ｗとする）について説明する。
【００１５】
水洗トイレユニット１Ｗの後端には出入り口となるスイングドア１６が設けられている。スイングドア１６は水洗トイレユニット１Ｗの右半部に配置されている。水洗トイレユニット１Ｗの内部空間は複数の仕切り壁５によって仕切られ、通路１７と個室７〜１１とが形成されている。通路１７は、最も前方に配置された個室７からスイングドア１６まで前後に延びている。通路１７の右壁面には複数の手洗い器１４が前後に配列されている。また、手洗い器１４の上方には鏡がそれぞれ設けられている。
【００１６】
個室７は、内部空間の左端から右端までの領域を占めている。個室８〜１１は個室７の後方に、内部空間の後端に向かって順に配列されており、内部空間のほぼ左半分の領域を占めている。最も後方の個室１１は、前後方向に関して内部空間の中央よりやや後方から内部空間の後端までの領域を占めている。個室７及び１１にはスライドドア６が、個室８〜１０にはスイングドア１２が設けられている。個室７及び１１のそれぞれには腰掛式（洋式）の大便器１３と手洗い器１４との両方が設けられており、これらは多目的用のトイレとして用いられる。個室８〜１０のそれぞれには大便器１３が設けられているが、手洗い器１４は設けられていない。これらの個室にはロールペーパーホルダー１５が設けられている。
【００１７】
水洗トイレユニット１Ｗ内には給排水系統及び電気系統が設けられている。給排水系統は、水洗トイレユニット１Ｗの前端の外壁３に設けられた給水部１８及び排水部１９を有している。給水部１８には外部の給水タンクや水道管（給水手段）が接続され、上水が供給される。供給された上水は、水洗トイレユニット1内の給水系を通じて大便器１３や手洗い器１４に供給される。大便器１３や手洗い器１４の排水は排水系を通じて排水部１９から水洗トイレユニット１Ｗの外部へと排出される。排水部１９には、水洗トイレユニット１Ｗから排出された排水を汚水タンクや下水管へと導く配管が接続される。本実施形態においては、このように、排水を汚水タンクに導く配管と下水管に導く配管とのいずれも接続可能である。いずれに接続するかは、水洗トイレユニット１Ｗを設置する環境に応じて決定されるとよい。電気系統は、発電機や送電網からの電力を水洗トイレユニット１Ｗ内に設置される照明器等に供給する。
【００１８】
次に、図４に基づき、男性用の設備が用いられた水洗トイレユニット１（以下、水洗トイレユニット１Ｍとする）について説明する。なお、水洗トイレユニット１Ｍの構成中、水洗トイレユニット１Ｗと同じものについては、図３で用いられた符号と同じ符号を付し、その説明を適宜省略する。
【００１９】
水洗トイレユニット１Ｍにおいては、多目的用の個室７の代わりに個室２１が設けられている。個室２１は、内部空間の左側であって個室８の前方の位置に設置されている。個室２１には個室８〜１０と同様、スイングドア１２、大便器１３及びロールペーパーホルダー１５が設けられている。水洗トイレユニット１Ｍの内部空間の右半部には、前端から後端まで通路２３が延びている。通路２３の右側面には複数の小便器２２が前後に配列されていると共に、その後方に複数の手洗い器１４が前後に配列されている。
【００２０】
以上説明した本実施形態によると、水洗トイレユニット１としてコンテナ式を採用しているため、トレーラー２等の車両や船舶による搬送に適しており、積み重ねて保管することもできる。また、複数種類の設備を内部に配置するための十分な大きさがある（例えば、２０フィート型コンテナの寸法は、長さ約６ｍ、幅約２．４ｍ、高さ約２．６ｍである）。そして、本実施形態では、かかるスペースを活かして複数の手洗い器１４や水洗用の大便器１３等を設けており、コンテナの内部空間を個室８〜１０等の複数の個室に仕切っているとともに、個室７及び１１は大便器１３と手洗い器１４との両方を備えた多目的トイレ用の個室としている。このため、可搬式のトイレでありながら常設のトイレのように設備が整っており、利便性が高い。また、２枚の鋼板３１が断熱材３２を挟んだ三層構造によって外壁３が形成されているので、水洗トイレユニット１内の保温性が高い。
【００２１】
また、本実施形態に係る水洗トイレユニット１は、上記の通り、給水タンク又は上水管及び汚水タンクと接続した水洗トイレシステムとして使用してもよいし、汚水タンクの代わりに下水管と接続した水洗トイレシステムとして使用してもよい。下水道と接続可能な場合はこれと接続し、下水道との接続が困難な場合は汚水タンクと接続する等、水洗トイレユニット１を設置する環境に応じていずれの態様で使用するかを選択するとよい。
【００２２】
以上は、本考案の好適な実施形態についての説明であるが、本考案は上述の実施形態に限られるものではなく、課題を解決するための手段に記載された範囲の限りにおいて様々な変更が可能なものである。
【００２３】
例えば、上述の実施形態では、女性用の水洗トイレユニット１Ｗと男性用の水洗トイレユニット１Ｍとが別々のコンテナとして設置されている。しかし、男性用の設備が設けられた部屋と女性用の設備が設けられた部屋との両方が１つのコンテナ内に設置されてもよい。
【符号の説明】
【００２４】
１、１Ｍ、１Ｗ  水洗トイレユニット
３  外壁
５  仕切り壁
７〜１１、２１  個室
１３  大便器
１４  手洗い器
１８  給水部
１９  排水部
２２  小便器
３１  鋼板
３２  断熱材
【図１】
0003209017.tif 000003
【図２】
0003209017.tif 000004
【図３】
0003209017.tif 000005
【図４】
0003209017.tif 000006